(57)【要約】    【課題】      決められた画質に制限されることなく受信ができるとともに、受信側で選択的に印刷指示することができる、使い勝手の良い画像受信装置及び画像受信方法を提供する。    【解決手段】  自機の処理能力に合ったデータ形式の画像ファイルをＷＷＷサーバ２２から読み込んで補助記憶装置４に記憶するとともに、全ページ印刷の場合にはページ枚数分のページ番号を印刷指示バッファに書き込み、選択ページ印刷の場合には選択指示のあったページ番号を印刷指示バッファに書き込んで、ページ単位でプリンタ部８にて印刷する。  【選択図】      図１
2005102307.tif 000002
【特許請求の範囲】
【請求項１】
画像送信装置から受信した電子メールよりサーバアドレスを抽出するアドレス抽出手段と、このアドレス抽出手段により抽出されたサーバアドレスを使ってサーバにアクセスし、当該サーバに複数のデータ形式で画像ファイルが登録されている場合、自機の処理能力に合ったデータ形式の画像ファイルを決定する決定手段と、この決定手段により決定された画像ファイルをサーバから読み込んで記憶する記憶手段と、この記憶手段に記憶された画像ファイルのページ枚数分のページ番号を印刷指示バッファに書き込む書き込み手段と、この書き込み手段により前記印刷指示バッファに書き込まれたページ番号の画像データを前記記憶手段から読み出す読み出し手段と、１ページ分の印刷が終了すると前記読み出し手段に対して次ページを読み出させる手段とを具備する画像受信装置。
【請求項２】
画像送信装置から受信した電子メールよりサーバアドレスを抽出するアドレス抽出手段と、このアドレス抽出手段により抽出されたサーバアドレスを使ってサーバにアクセスし、当該サーバに複数のデータ形式で画像ファイルが登録されている場合、自機の処理能力に合ったデータ形式の画像ファイルを決定する決定手段と、この決定手段により決定された画像ファイルをサーバから読み込んで記憶する記憶手段と、選択指示のあったページ番号を印刷指示バッファに書き込む書き込み手段と、この書き込み手段により前記印刷指示バッファに書き込まれたページ番号の画像データを前記記憶手段から読み出す読み出し手段と、１ページ分の印刷が終了すると前記読み出し手段に対して次ページを読み出させる手段とを具備する画像受信装置。
【請求項３】
装置本体から分離したパネル兼表示部付リモートコントローラを備え、前記記憶手段内の画像データを前記パネル兼表示部付リモートコントローラへ転送する請求項１または請求項２記載の画像受信装置。
【請求項４】
装置本体から分離したパネル兼表示部付リモートコントローラを備え、前記記憶手段内の画像データを前記パネル兼表示部付リモートコントローラへ転送するとともに、前記パネル兼表示部付リモートコントローラより次ページの画像データの表示指示を受けると、次ページの画像データを前記パネル兼表示部付リモートコントローラへ転送する手段を有する請求項２記載の画像受信装置。
【請求項５】
装置本体から分離したパネル兼表示部付リモートコントローラを備え、前記パネル兼表示部付リモートコントローラから装置本体に対して前記選択指示を行う請求項２記載の画像受信装置。
【請求項６】
画像送信装置から受信した電子メールよりサーバアドレスを抽出するアドレス抽出ステップと、このアドレス抽出ステップにより抽出されたサーバアドレスを使ってサーバにアクセスし、当該サーバに複数のデータ形式で画像ファイルが登録されている場合、自機の処理能力に合ったデータ形式の画像ファイルを決定する決定ステップと、この決定ステップにより決定された画像ファイルをサーバから読み込んで記憶手段に記憶する記憶ステップと、この記憶ステップにより記憶された画像ファイルのページ枚数分のページ番号を印刷指示バッファに書き込む書き込みステップと、この書き込みステップにより前記印刷指示バッファに書き込まれたページ番号の画像データを前記記憶手段から読み出す読み出しステップと、１ページ分の印刷が終了すると次ページを読み出すステップとを具備する画像受信方法。
【請求項７】
画像送信装置から受信した電子メールよりサーバアドレスを抽出するアドレス抽出ステップと、このアドレス抽出ステップにより抽出されたサーバアドレスを使ってサーバにアクセスし、当該サーバに複数のデータ形式で画像ファイルが登録されている場合、自機の処理能力に合ったデータ形式の画像ファイルを決定する決定ステップと、この決定ステップにより決定された画像ファイルをサーバから読み込んで記憶手段に記憶する記憶ステップと、選択指示のあったページ番号を印刷指示バッファに書き込む書き込みステップと、この書き込みステップにより前記印刷指示バッファに書き込まれたページ番号の画像データを前記記憶手段から読み出す読み出しステップと、１ページ分の印刷が終了すると次ページを読み出すステップとを具備する画像受信方法。
【請求項８】
前記記憶手段内の画像データを装置本体から分離したパネル兼表示部付リモートコントローラへ転送するステップとを具備する請求項６または請求項７記載の画像受信方法。
【請求項９】
前記記憶手段内の画像データを装置本体から分離したパネル兼表示部付リモートコントローラへ転送するステップと、前記パネル兼表示部付リモートコントローラより次ページの画像データの表示指示を受けると、次ページの画像データを前記パネル兼表示部付リモートコントローラへ転送するステップとを具備する請求項７記載の画像受信方法。
【請求項１０】
装置本体から分離したパネル兼表示部付リモートコントローラから前記選択指示を受けるステップとを具備する請求項７記載の画像受信方法。
【発明の詳細な説明】
【技術分野】
【０００１】
本発明は、画像受信装置及び画像受信方法に関する。
【背景技術】
【０００２】
従来、原稿のイメージデータをＴＩＦＦ形式のファイルに変換し、このイメージファイルをメール本体に添付ファイルの形で添付し、送信先の電子メールアドレスに電子メールで送信するファクシミリ型画像通信装置としてインタネットＦＡＸが知られている。
【０００３】
ところで、カラー画像のような大容量のデータを上記インターネットＦＡＸで直接相手装置へ送信するとなると、相手装置に大容量のメモリが必要となる。このため、現実的には電子メールを用いてカラー画像を送信することは困難な場合が多かった。
【０００４】
そこで、画像データが添付された電子メールを直接相手装置のメールアドレスへ送信するのではなく、ネットワーク上に配置したＷＷＷサーバに登録し、ＷＷＷサーバにアクセスするためのＵＲＬ（Uniform Resource Protocol）を相手装置へ送信するようにした画像通信システムが提案されている。この画像通信システムによれば、相手端末のメールボックスに予期しない大容量のデータが直接送り付けられてくる不具合を防止できる。
【発明の開示】
【発明が解決しようとする課題】
【０００５】
しかしながら、インターネットＦＡＸからＷＷＷサーバに送信データを登録し、相手端末へＵＲＬを送信するようにしただけでは、依然として使いづらいものであった。
【０００６】
つまり、ＷＷＷサーバに画像データを置いた場合、標準化された画像データ形式で決められた画質よりも高い品質で送信したり印刷したい場合でも、必ず決められた画質に制限されてしまう。また、ＷＷＷサーバから受信したカラー画像をカラー印刷する場合、受信原稿を全部印刷していたので印刷時間がかかるとともに、コストも高くなってしまう。
【０００７】
本発明は、以上のような実情に鑑みてなされたものであり、決められた画質に制限されることなく受信ができるとともに、受信側で選択的に印刷指示することができる、使い勝手の良い画像受信装置及び画像受信方法を提供することを目的とする。
【課題を解決するための手段】
【０００８】
本発明は、自機の処理能力に合ったデータ形式の画像ファイルをサーバから読み込んで記憶するとともに、全ページ印刷の場合にはページ枚数分のページ番号を印刷指示バッファに書き込み、選択ページ印刷の場合には選択指示のあったページ番号を印刷指示バッファに書き込んで、ページ単位で印刷するようにしたものである。
【発明の効果】
【０００９】
本発明によれば、決められた画質に制限されることなく受信ができるとともに、受信側で選択的に印刷指示することができる。
【発明を実施するための最良の形態】
【００１０】
本発明の第１の態様は、画像送信装置から受信した電子メールよりサーバアドレスを抽出するアドレス抽出手段と、このアドレス抽出手段により抽出されたサーバアドレスを使ってサーバにアクセスし、当該サーバに複数のデータ形式で画像ファイルが登録されている場合、自機の処理能力に合ったデータ形式の画像ファイルを決定する決定手段と、この決定手段により決定された画像ファイルをサーバから読み込んで記憶する記憶手段と、この記憶手段に記憶された画像ファイルのページ枚数分のページ番号を印刷指示バッファに書き込む書き込み手段と、この書き込み手段により前記印刷指示バッファに書き込まれたページ番号の画像データを前記記憶手段から読み出す読み出し手段と、１ページ分の印刷が終了すると前記読み出し手段に対して次ページを読み出させる手段とを具備する構成を採る。
【００１１】
本発明の第２の態様は、画像送信装置から受信した電子メールよりサーバアドレスを抽出するアドレス抽出手段と、このアドレス抽出手段により抽出されたサーバアドレスを使ってサーバにアクセスし、当該サーバに複数のデータ形式で画像ファイルが登録されている場合、自機の処理能力に合ったデータ形式の画像ファイルを決定する決定手段と、この決定手段により決定された画像ファイルをサーバから読み込んで記憶する記憶手段と、選択指示のあったページ番号を印刷指示バッファに書き込む書き込み手段と、この書き込み手段により前記印刷指示バッファに書き込まれたページ番号の画像データを前記記憶手段から読み出す読み出し手段と、１ページ分の印刷が終了すると前記読み出し手段に対して次ページを読み出させる手段とを具備する構成を採る。
【００１２】
本発明の第３の態様は、第１または第２の態様の画像受信装置において、装置本体から分離したパネル兼表示部付リモートコントローラを備え、前記記憶手段内の画像データを前記パネル兼表示部付リモートコントローラへ転送する構成を採る。
【００１３】
本発明の第４の態様は、第２の態様の画像受信装置において、装置本体から分離したパネル兼表示部付リモートコントローラを備え、前記記憶手段内の画像データを前記パネル兼表示部付リモートコントローラへ転送するとともに、前記パネル兼表示部付リモートコントローラより次ページの画像データの表示指示を受けると、次ページの画像データを前記パネル兼表示部付リモートコントローラへ転送する手段を有する構成を採る。
【００１４】
本発明の第５の態様は、第２の態様の画像受信装置において、装置本体から分離したパネル兼表示部付リモートコントローラを備え、前記パネル兼表示部付リモートコントローラから装置本体に対して前記選択指示を行う構成を採る。
【００１５】
本発明の第６の態様は、画像送信装置から受信した電子メールよりサーバアドレスを抽出するアドレス抽出ステップと、このアドレス抽出ステップにより抽出されたサーバアドレスを使ってサーバにアクセスし、当該サーバに複数のデータ形式で画像ファイルが登録されている場合、自機の処理能力に合ったデータ形式の画像ファイルを決定する決定ステップと、この決定ステップにより決定された画像ファイルをサーバから読み込んで記憶手段に記憶する記憶ステップと、この記憶ステップにより記憶された画像ファイルのページ枚数分のページ番号を印刷指示バッファに書き込む書き込みステップと、この書き込みステップにより前記印刷指示バッファに書き込まれたページ番号の画像データを前記記憶手段から読み出す読み出しステップと、１ページ分の印刷が終了すると次ページを読み出すステップとを具備する構成を採る。
【００１６】
本発明の第７の態様は、画像送信装置から受信した電子メールよりサーバアドレスを抽出するアドレス抽出ステップと、このアドレス抽出ステップにより抽出されたサーバアドレスを使ってサーバにアクセスし、当該サーバに複数のデータ形式で画像ファイルが登録されている場合、自機の処理能力に合ったデータ形式の画像ファイルを決定する決定ステップと、この決定ステップにより決定された画像ファイルをサーバから読み込んで記憶手段に記憶する記憶ステップと、選択指示のあったページ番号を印刷指示バッファに書き込む書き込みステップと、この書き込みステップにより前記印刷指示バッファに書き込まれたページ番号の画像データを前記記憶手段から読み出す読み出しステップと、１ページ分の印刷が終了すると次ページを読み出すステップとを具備する構成を採る。
【００１７】
本発明の第８の態様は、第６または第７の態様の画像受信方法において、前記記憶手段内の画像データを装置本体から分離したパネル兼表示部付リモートコントローラへ転送するステップとを具備する構成を採る。
【００１８】
本発明の第９の態様は、第７の態様の画像受信方法において、前記記憶手段内の画像データを装置本体から分離したパネル兼表示部付リモートコントローラへ転送するステップと、前記パネル兼表示部付リモートコントローラより次ページの画像データの表示指示を受けると、次ページの画像データを前記パネル兼表示部付リモートコントローラへ転送するステップとを具備する構成を採る。
【００１９】
本発明の第１０の態様は、第７の態様の画像受信方法において、装置本体から分離したパネル兼表示部付リモートコントローラから前記選択指示を受けるステップとを具備する構成を採る。
【００２０】
以下、本発明の一実施の形態について図面を参照して説明する。
【００２１】
図１は本実施の形態にかかるファクシミリ型画像通信装置（以下、「本装置」と呼ぶ）の機能ブロックである。本装置は、ＣＰＵ１が装置全体の制御を行う。ＣＰＵ１に対してＲＯＭ２、ＲＡＭ３、補助記憶装置４、タッチパネル兼表示部５、スキャナ部６、ＬＡＮ制御部７、プリンタ部８等が内部バスを介して接続される。ＲＯＭ２はＣＰＵ１によって実行されるプログラムを格納し、ＲＡＭ３はプログラムの作業エリアや、メールデータ及び画像データの一時記憶等のための記憶エリアに使用される。補助記憶装置４は、ハードディスクで構成され、画像データなどの保存に使用される。送信処理及び受信処理の簡略化で補助記憶装置４を削減した構成をとることもできる。タッチパネル兼表示部５は、画像データや操作指示案内の表示部として機能するとともに、アルファベット、数字、記号、ワンタッチダイヤルを表示して操作指示入力のためのタッチパネルとして機能する。タッチパネル兼表示部５を使用して受信した画像データの表示、印刷指示、電子メールアドレスの入力ができるようになっている。スキャナ部６は、原稿を読取ってイメージデータに変換する。カラー原稿の場合は、カラーイメージデータに変換するものとする。ＬＡＮ制御部７は、ＬＡＮインターフェースであり、ネットワークを通してデータの送受信を行う。
【００２２】
図２に本装置を用いて画像通信するためのネットワーク構成を示す。本装置２０はイーサネット（登録商標）に接続されていて、このイーサネット（登録商標）を経由してネットワーク２１に接続する。ネットワーク２１は、インターネット又はイントラネットである。本装置２０は、ネットワーク２１に配置されたＷＷＷサーバ２２に画像データを登録する一方、ネットワーク２１の向こう側にいる相手側端末２３にＷＷＷサーバ２２のＵＲＬを送信する。
【００２３】
本装置２０は、ＷＷＷサーバ２２に対して複数ページの画像データをページ単位にファイル化して登録する分割登録機能と、送信すべき画像データを標準化データ形式及び非標準化データ形式の複数のデータ形式でＷＷＷサーバ２２に登録するマルチフォーム登録機能とを有する。分割登録機能及びマルチフォーム登録機能は、ＣＰＵ１がＲＯＭ２に格納されたプログラムを実行することにより実現する機能の一つである。
【００２４】
なお、本実施の形態では、Ａ４サイズ、３００ｄｐｉ、「ＹＣｄＣｒ色空間」、ＪＦＩＦ(JPEG File Interchange Format)データを標準化データ形式、それ以外のデータを非標準化データ形式と想定している。
【００２５】
また、本装置２０は、送信相手に応じてＷＷＷサーバを自動切替えするサーバ選択機能を備えている。送信相手に応じたサーバの選択は、電子メールアドレスとＷＷＷサーバのＵＲＬとを対応させた対応テーブルを使って行われる。
【００２６】
図３にサーバ選択機能に関連してＲＯＭ２に登録された電子メールアドレス／ＵＲＬ対応テーブルの構成例を示す。この対応テーブルには、送信相手の電子メールアドレスが複数登録できるようになっていて、各電子メールアドレスに対応させてその電子メールアドレスに送信すべき画像データが登録されるＷＷＷサーバのＵＲＬアドレスが登録されている。電子メールアドレスは、アドレスを完全に記載しても良いしワイルドカード（＊）を使ってアドレスの一部（例えばドメインだけ）だけを登録するようにしても良い。また、ワイルドカードのみの電子メールアドレス（空アドレス）に対応して１つのＷＷＷサーバを登録している。対応テーブルに登録していない電子メールアドレス（全部又は一部）が入力された場合にデフォルトのＷＷＷサーバを選択するためである。
【００２７】
図４はワンタッチダイヤルを使用して電子メールアドレスを入力した場合に、ＷＷＷサーバを選択できるようにした対応テーブルである。同図に示すように、ワンタッチダイヤルと電子メールアドレスと使用するＷＷＷサーバのＵＲＬとが対応づけられて設定されている。
【００２８】
図５（ａ）（ｂ）には、本装置のマルチフォーム登録機能に関連してＲＯＭ２に登録された送信データ属性テーブルの構成を示す。図５（ａ）は標準化データのみを送る場合のテーブルを示しており、同図（ｂ）は標準化データと共に非標準化データを送る場合のテーブルを示している。図５（ａ）のファイル属性の欄には標準化データである「．ｊｐｇ」のみが登録されている。図５（ｂ）のファイル属性の欄には標準化データである「．ｊｐｇ」以外に「．ｔｉｆ」「．ｂｍｐ」が登録されている。ファイル属性＝「．ｔｉｆ」はＴＩＦＦファイルを意味しており、ファイル属性＝「．ｂｍｐ」はビットマップファイルを意味しており、これらのファイルは非標準として扱われる。
【００２９】
また、送信データ属性テーブルには各ファイル属性にマルチページサインが付いている。１ファイルに複数ページが含まれるファイル属性（形式）にはマルチページサイン＝１が付与され、それ以外のファイル属性（形式）にはマルチページサイン＝０が付与される。
【００３０】
本装置がＷＷＷサーバから画像データを受信する場合は受信装置となる。図２における相手側端末２３を本装置２０と同一構成にすることができる。この場合、相手側端末２３に自機の処理能力に合ったファイルを選択して取得するファイル選択取得機能を備える。
【００３１】
図６は相手側端末２３にファイル選択取得機能を持たせるための受信能力テーブルの構成図である。受信能力テーブルには、自機の処理能力がファイル属性にて登録されている。複数のファイル属性に対応できる場合は優先順位の高い順番にファイル属性を並べている。
【００３２】
次に、以上のように構成された本装置の動作について説明する。図７、図８に本装置２０の送信動作のフローチャートを示す。タッチパネル兼表示部５のタッチパネル機能によって相手側端末２３の電子メールアドレスが入力される（ＳＴ７０１）。入力された電子メールアドレスと一致するメールアドレスを、図３に示す電子メールアドレス／ＵＲＬ対応テーブルから検索する。検索の結果、一致する電子メールアドレスが存在すれば、その電子メールアドレスに対応するＷＷＷサーバのＵＲＬを決定し、所定領域に格納する（ＳＴ７０２）。
【００３３】
次に、タッチパネル兼表示部５からの操作入力に応じてスキャナ部６を動作させて原稿をスキャンし画像データを取り込む。複数の原稿がセットされている場合は、連続して原稿読取動作を実行して複数ページの画像データを取り込む（ＳＴ７０３）。スキャナ部６から取込まれた画像データをページ単位でファイル化し、ページ毎に”ｆａｘ０１”、”ｆａｘ０２”のように連番を含んだファイル名を付けて、補助記憶装置４に順次格納する（ＳＴ７０３）。補助記憶装置４に画像データをページ単位で格納するときにページカウントも併せて行う。
【００３４】
次に、上記ステップＳＴ７０２で選択したＷＷＷサーバ（ＵＲＬ）にホームディレクトリを作成する（ＳＴ７０４）。以下、ステップＳＴ７０２で選択したＷＷＷサーバはＷＷＷサーバ２２であるとする。具体的には、ＷＷＷサーバ２２内の、予めＦＴＰ（File Transfer Protocol）登録用に設定されたディレクトリ下に、そのサーバ内でユニークになるように時分秒などを含んだ名前を持つサブディレクトリをＦＴＰのコマンドで作成する。本明細書では、このサブディレクトリをホームディレクトリと呼ぶ。ホームディレクトリは、ステップＳＴ７０３で保存したファイル（ページ単位のファイル）を登録するために使われる。
【００３５】
次に、原稿のメニューとなるＨＴＭＬ（Hyper Text Markup Language）の原形の文字列を、ＲＡＭ３上に用意する（ＳＴ７０５）。図９にメニューＨＴＭＬの原形文字列を示す。
【００３６】
補助記憶装置４に上記ステップＳＴ７０３で格納した画像データファイルが存在する場合（ＳＴ７０６）、補助記憶装置４に保存した原稿の画像データファイルを”ｆａｘ０１”から１ページずつ読み出す。そして、読み出した画像データファイルをＪＦＩＦに変換し（ＳＴ７０７）、ＷＷＷサーバ２２のホームディレクトリに同じファイル名でＦＴＰで登録する（ＳＴ７０８）。ホームディレクトリに登録したファイル名と同じファイル名を含んだＨＴＭＬの行を、ＲＡＭ３上に用意したメニューＨＴＭＬの文字列の中（＜ＢＯＤＹ＞の部分）に挿入する（ＳＴ７０９）。このＨＴＭＬを新たなＨＴＭＬの原形とする。
【００３７】
メニューＨＴＭＬにホームディレクトリに登録したファイル名のＨＴＭＬの行を挿入したら、次に送信データ属性テーブルに非標準化データの送信指示が設定されているかどうかチェックする（ＳＴ７１０）。非標準化データの送信指示が設定されていなければ、ステップＳＴ７０６に戻り画像データファイルが残っているか判断する。補助記憶装置４に格納された全ページ分の画像データが終了するまで、ステップＳＴ７０７からステップＳＴ７０９の処理を繰り返す。
【００３８】
一方、ステップＳＴ７１０で非標準化データの送信指示が設定されていれば、さらに１ファイルマルチページの非標準化データか否か判断する（ＳＴ７１１）。送信データ属性テーブルに設定したマルチページサインに基づいて判断する。マルチページサイン＝０であれば、送信データ属性テーブルに登録されている非標準化データ形式に画像データを変換する（ＳＴ７１２）。
【００３９】
そして、非標準化形式に変換された画像データを、ＷＷＷサーバ２２内のホームディレクトリにＦＴＰで登録する（ＳＴ７１３）。ホームディレクトリに登録した画像データのファイル名を含んだ行をメニューＨＴＭＬに挿入する（ＳＴ７１４）。
【００４０】
なお、送信データ属性テーブルに登録されたマルチページサイン＝１の場合は、複数のページを１ファイルにまとめる必要がある。補助記憶装置４に保存された画像データファイルは１ファイルが１ページ分である。１ページずつ読み込んで非標準形式に編集し、最終的に複数ページを１ファイルに変換して補助記憶装置４に一時格納する（ＳＴ７１５）。
【００４１】
このようにして完成したＨＴＭＬの記述例を図１０に示す。図１０は、３ページの原稿を標準化データ形式と、２つの非標準化データ形式（ＴＩＦＦとビットマップ）とで記述した例である。
【００４２】
一方、上記ステップＳＴ７０６において、補助記憶装置４に格納したファイルを全てホームディレクトリに格納したと判断した場合は、１ファイルマルチページの非標準化データを作成したか否か判断する（ＳＴ７１６）。１ファイルマルチページの非標準化データを作成して補助記憶装置４に格納している場合は、その格納している非標準化データをＷＷＷサーバ２２のホームディレクトリにＦＴＰで登録する（ＳＴ７１７）。ホームディレクトリに登録した非標準化データのファイル名を含んだ行を、ＲＡＭ３上のメニューＨＴＭＬに挿入する（ＳＴ７１８）。
【００４３】
次に、以上のようにしてＲＡＭ上に作成したメニューＨＴＭＬを、ＷＷＷサーバ２２内のホームディレクトリにｉｎｄｅｘ．ｈｔｍｌというファイル名を付けてＦＴＰで登録する（ＳＴ７１９）。
【００４４】
そして、上記ステップＳＴ７０２で保存したＵＲＬ（ＷＷＷサーバ２２のＵＲＬ）の後ろにホームディレクトリ名を付け加えたＵＲＬを作成する（ＳＴ７２０）。この作成したＵＲＬを、電子メールのＭＩＭＥヘッダのExternal-Body Subtypeフィールドに記述し、相手側端末２３に電子メールで送信する。
【００４５】
図１１に上記ＵＲＬを含む電子メールのヘッダの例を示す。上記ＵＲＬをメール本文やsubjectフィールドに記述しても良い。
【００４６】
なお、標準化データ形式の画像ファイルのみを送信するタイプの簡易的な本装置の例では、１ページ分の画像ファイルが生成される度に、当該画像ファイルをサーバへ逐次登録するように構成しても良い。すなわち、１ページ分読み取り、ＪＦＩＦ変換、ＷＷＷサーバへの登録、の一連の処理を全ページ分繰り返すようにする。このようにすることで、全ページの一括読み取りが不要になり、補助記憶装置４の容量を削減できる。
【００４７】
次に、相手側端末２３がＷＷＷサーバ２２から登録された画像ファイルを取込む受信動作に付いて、図１２及び図１３のフローチャートに従って説明する。上述したように、本装置２０がＷＷＷサーバ２２のＵＲＬを電子メールで相手側端末２３のメールアドレスに送信している。
【００４８】
相手側端末２３は、ＷＷＷサーバ２２のＵＲＬが含まれた電子メールを受信すると（ＳＴ１２０１）、その電子メールのメールヘッダ（ＭＩＭＥヘッダ）からＵＲＬを取り出す（ＳＴ１２０２）。そして、そのＵＲＬが示すＷＷＷサーバ２２にＨＴＴＰでアクセスし、そのＷＷＷサーバ２２からメニューＨＴＭＬを取り出す（ＳＴ１２０３）。
【００４９】
次に、メニューＨＴＭＬに登録されたファイル属性の中から自機の能力に合ったファイル属性を選択する（ＳＴ１２０４）。そのため、受信能力テーブル（図６）から優先度の高い順位にファイル属性を取り出し、メニューＨＴＭＬのファイル名記述行中のファイル属性と比較する。最も優先度の高いファイル属性と一致するファイル属性がメニューＨＴＭＬに存在すれば、そのファイル属性のファイル名を受信対象ファイルに決定する。一方、優先度の高いファイル属性と一致するファイル属性がメニューＨＴＭＬに存在しない場合は、受信能力テーブル内の次の優先度のファイル属性を取り出して同様のチェックを行う。一致するファイル属性が見つかるまで順次優先度を下げながら受信能力テーブルからファイル属性を取り出して同等のチェックを実行する。
【００５０】
このようにして決定したファイル名の属性が、「．ＴＩＦ」のように１つのファイルに複数ページを含むファイルである場合は、ＷＷＷサーバ２２からそのファイル全体を読み込み、ページ単位で読み出しが可能な形に変換して自機の補助記憶装置に書き込む（ＳＴ１２０６）。このとき、ファイル内の全ページ数を数え、数えたページ数を記憶する（ＳＴ１２０８）。また、１つのファイルに複数ページを含むファイルでない場合は、メニューＨＴＭＬの記述から全ページ枚数を数え、その数えた枚数を記憶する（ＳＴ１２０７）。
【００５１】
次に、自動印刷モードが指定されているか否か判断する（ＳＴ１２０９）。自動印刷モードが指定されている場合は、全ページのページ番号を印刷指示バッファに書き込む（ＳＴ１２１０）。図１４に印刷指示バッファの例を示す。自動印刷モード時は全ページのページ番号が一度に書かれる。
【００５２】
まず、印刷指示バッファ内のページ番号のポインタを先頭におく（ＳＴ１２１１）。ポインタが印刷指示バッファを越えていないことを確認して（ＳＴ１２１２）、ポインタが示すページの画像データをＷＷＷサーバ２２又は自機の補助記憶装置から読み出し（ＳＴ１２１４）、その読み出したページを印刷する（ＳＴ１２１５）。印刷指示バッファ内のポインタを一つ進め（ＳＴ１２１６）、同様にして次ページの画像データの印刷処理を実行する。この印刷処理をポインタが印刷指示バッファを越えるまで繰り返す。
【００５３】
なお、ステップＳＴ１２０９で自動印刷モードが設定されていないと判断した場合は、印刷指示バッファに入れるページ番号を選択指示する。相手側端末２３は、図１５に示すようなタッチパネル兼表示部を備えているものとする。このタッチパネル兼表示部を使った操作によって、ページ順に１ページづつ画像データをＷＷＷサーバ２２又は自機の補助記憶装置から読み出し、タッチパネル兼表示部のパネルに表示させ（ＳＴ１２１８）、ページ単位で印刷の有無を選択させる。パネルに１ページの画像データを表示させた状態で印刷指示を待ち（ＳＴ１２１９）、印刷指示が入力されれば、そのページ番号を印刷指示バッファに書き込み（ＳＴ１２２０）、タッチパネル兼表示部の次ページボタンを押してページを１つ進める（ＳＴ１２２０）。印刷指示が入力されなければ、そのままページを１つ進める（ＳＴ１２２０）。図１５のタッチパネル兼表示部の場合、画像が表示されている範囲内を指で押せば印刷指示と判断し、外枠が表示されるように構成される。
【００５４】
図１６に相手側端末の構成例を示す。本実施の形態では、画像データをＷＷＷサーバから受信する端末を相手側装置と呼んでおり、本装置２０と同一構成であっても良い。同図に示す相手側端末は、本装置２０と同等の機能を備えていて、さらにタッチパネル兼表示部が装置本体から分離したリモコンタイプになっている。装置本体側にリモコン通信部９を設け、リモコン側にタッチパネル兼表示部１０とリモコン通信部１１を設けている。
【００５５】
このような本実施の形態によれば、ページ単位にファイル化した画像データをＷＷＷサーバ２２へ登録し、このＷＷＷサーバ２２にアクセスするためのＵＲＬを相手側端末２３のメールアドレスに送信するので、受信側でＷＷＷサーバ上の画像データを処理するとき、１ページ単位で受信ができ、全ページ分の補助記憶装置を備える必要が無くなる。
【００５６】
また本実施の形態によれば、送信すべき画像データを標準化データ形式、非標準化データ形式の複数のデータ形式でＷＷＷサーバ２２に登録し、このＷＷＷサーバ２２にアクセスするためのＵＲＬを相手側端末２３のメールアドレスに送信するので、標準化データ形式しかサポートしない簡単な装置にも、より高品質な非標準化データ形式までサポートする装置にも、相手先の能力を最大限に生かす形で、１回の読み取り処理で送信できる。
【００５７】
また本実施の形態によれば、相手先の電子メールアドレスと画像登録すべきサーバアドレスとを対応づけた対応テーブルを用意してサーバを自動選択するようにしたので、操作内容を複雑にすること無く、相手先に応じてＷＷＷサーバを選択できるようになった。たとえば、掲示板のように多くの人に使ってもらうＷＷＷサーバや、限定された会員向けのＷＷＷサーバといった使い分けを相手先に応じてできるようになった。
【産業上の利用可能性】
【００５８】
本発明は、電子メールシステムを利用してファクシミリと同様のイメージデータを受信する画像受信装置及び画像受信方法に関する。
【図面の簡単な説明】
【００５９】
【図１】本発明の一実施の形態にかかるファクシミリ型画像通信装置の機能ブロック図
【図２】本装置を備えたネットワーク構成図
【図３】上記一実施の形態における電子メールアドレス／ＵＲＬ対応テーブルの構成図
【図４】上記一実施の形態におけるワンタッチダイヤルに登録された電子メールアドレス／ＵＲＬ対応テーブルの構成図
【図５】上記一実施の形態における送信データ属性テーブルの構成図
【図６】上記一実施の形態における受信能力テーブルの構成図
【図７】上記一実施の形態における送信動作の前半部のフロー図
【図８】上記一実施の形態における送信動作の後半部のフロー図
【図９】上記一実施の形態におけるメニューＨＴＭＬの原形文字列を示す図
【図１０】上記一実施の形態において作成されたメニューＨＴＭＬを示す図
【図１１】上記一実施の形態において作成されたＵＲＬを含んだメールヘッダを示す図
【図１２】上記一実施の形態における受信動作の前半部のフロー図
【図１３】上記一実施の形態における受信動作の後半部のフロー図
【図１４】上記一実施の形態における印刷指示バッファを示す図
【図１５】上記一実施の形態におけるタッチパネル兼表示部の概念図
【図１６】上記一実施の形態における相手側端末の機能ブロック図
【符号の説明】
【００６０】
１  ＣＰＵ
２  ＲＯＭ
３  ＲＡＭ
４  補助記憶装置
５、１０  タッチパネル兼表示部
６  スキャナ部
７  ＬＡＮ制御部
８  プリンタ部
９、１１  リモコン通信部
【図１】
2005102307.tif 000003
【図２】
2005102307.tif 000004
【図３】
2005102307.tif 000005
【図４】
2005102307.tif 000006
【図５】
2005102307.tif 000007
【図６】
2005102307.tif 000008
【図７】
2005102307.tif 000009
【図８】
2005102307.tif 000010
【図９】
2005102307.tif 000011
【図１０】
2005102307.tif 000012
【図１１】
2005102307.tif 000013
【図１２】
2005102307.tif 000014
【図１３】
2005102307.tif 000015
【図１４】
2005102307.tif 000016
【図１５】
2005102307.tif 000017
【図１６】
2005102307.tif 000018